(57)【要約】  コンピュータ調節式及び制御式の点火及び燃焼発火表示装置及び本装置を有効にするための方法であって、本装置は、共通面内に配置される点火端に配向される煙道部材のグリッド状配列を含み、各前記煙道部材は、煙道部材に燃焼燃料を導入することによって有効になる熱ポテンシャルを有し、当該熱ポテンシャルは、最小開口部と最大開口部との間で配置される少なくとも１つの可変開口と、開口を通って導入される当該燃料の圧力との機械的操作によって変動し、各前記煙道部材の点火端に配置されるスパーク集合体は、当該煙道部材内に送達される燃料を点火するために電流がスパーク集合体を通るとき、スパークを選択的に生成し、それによって、各前記煙道部材は、実行において発生する信号またはオペレータによってプログラムされる信号の生成と同時に火の図をレンダリングするのに適切な明るい及び火の画素のように点火可能である。【選択図】図１
2021515171.tif 000002
【特許請求の範囲】
【請求項１】
コンピュータ調節式及び制御式の点火及び燃焼発火表示装置であって、加圧の燃料源に接続して配置される少なくとも１つの煙道部材を備え、少なくとも１つの前記煙道部材は点火端を有し、その時、ある範囲の速度にわたって少なくとも１つの前記煙道部材内に導入される燃料は選択的に点火可能であり、少なくとも１つの前記煙道部材は、少なくとも１つのプロセッサで起動するコンピューティング装置によって調整される最小の熱ポテンシャルと最大の熱ポテンシャルとの間で制御可能な熱ポテンシャルを有し、それによって、火の表示は、少なくとも１つの前記煙道部材のそれぞれの選択的点火及び前記熱ポテンシャルに合わせてプログラム可能に、実行と同時に制御可能である、コンピュータ調節式及び制御式の点火及び燃焼発火表示装置。
【請求項２】
少なくとも１つの前記煙道部材のそれぞれは前記点火端に配置されるスパーク集合体を含み、前記スパーク集合体は、前記コンピューティング装置を動作可能に通信して配置され、電流が前記スパーク集合体を通るときスパークを電気的に生成し、それによって、前記煙道部材の内部に導入される前記燃料の前記選択的点火は、前記コンピューティング装置によって有効及び制御可能になる、請求項１に記載のコンピュータ調節式及び制御式の点火及び燃焼発火表示装置。
【請求項３】
各前記煙道部材は、最小開口部と最大開口部との間に配置される少なくとも１つの可変開口を含み、それによって、前記煙道部材内への前記燃料の流入は、導入される前記燃料の最小量と導入される前記燃料の最大量との間に制御可能である、請求項２に記載のコンピュータ調節式及び制御式の点火及び燃焼発火表示装置。
【請求項４】
前記燃料源は、ある範囲の速度にわたって、少なくとも１つの前記煙道部材のそれぞれへの前記燃料の可変流入に対して変化して加圧される、請求項３に記載のコンピュータ調節式及び制御式の点火及び燃焼発火表示装置。
【請求項５】
少なくとも１つの前記煙道部材は前記煙道部材のグリッド状配列を含み、各前記点火端は画素として配置され、それによって、前記煙道部材のそれぞれの点火は２次元図の画素の照度に対応する、請求項４に記載のコンピュータ調節式及び制御式の点火及び燃焼発火表示装置。
【請求項６】
前記煙道部材のそれぞれの端の点火は、合同面内で整列される、請求項５に記載のコンピュータ調節式及び制御式の点火及び燃焼発火表示装置。
【請求項７】
前記燃料は共溶媒の混和剤を含み、それによって、炎色はまた変動する、請求項６に記載のコンピュータ調節式及び制御式の点火及び燃焼発火表示装置。
【請求項８】
コンピュータ調節式及び制御式の点火及び燃焼発火表示装置であって、
共通面内で一致する点火端を整列させるように配置される煙道部材のグリッド状配列と、
各前記煙道部材の前記点火端に配置される電気スパーク集合体と、
各前記煙道部材を燃焼燃料の加圧源に接続する導管と、
各前記煙道部材に配置される少なくとも１つの可変開口であって、最大開口部と最小開口部との間で機械的に有効になる、少なくとも１つの可変開口と、
少なくとも１つのプロセッサを有し、ドライバを起動する、コンピューティング装置であって、各前記可変開口及び各前記電気スパーク集合体との通信を制御するように配置される、コンピューティング装置と、を備え、
デジタル化信号は、前記最小開口部と前記最大開口部との間に配置される少なくとも１つの前記可変開口のそれぞれの直径の変動と併せて各前記電気スパーク集合体の選択的点火を有効にするために変換可能であり、それによって、前記煙道部材内への前記燃焼燃料の制御可能な導入によって、各前記煙道部材の熱ポテンシャルを生じさせ、それによって、前記燃焼燃料の調節された流動の点火の制御は各前記煙道部材の内部で可能になり、それによって、調整及び変調された火の表示は、前記デジタル化信号の前記生成に応答してプログラム可能に及び要望に応じて前記デジタル化信号の前記生成と同時に制御可能である、コンピュータ調節式及び制御式の点火及び燃焼発火表示装置。
【請求項９】
前記燃料は共溶媒の混和剤を含み、それによって、炎色はまた変動する、請求項８に記載のコンピュータ調節式及び制御式の点火及び燃焼発火表示装置。
【請求項１０】
プログラム可能発火表示のコンピュータ調節式及び制御式の点火及び燃焼を可能にする方法であって、
信号を離散値のセットにデジタル化するステップと、
デジタル信号を電気インパルスとして、前記信号の源に対して遠くに配置される少なくとも１つの煙道部材に送達するステップと、
最小開口部と最大開口部との間の少なくとも１つの前記煙道部材に配置される少なくとも１つの可変開口の機械的アクションを可能にするステップであって、それによって、燃焼燃料の流動は、要望に応じてデジタル化信号の送達に応答して、前記煙道部材に制御可能に導入される、ステップと、
関連の少なくとも１つの前記煙道部材内に導入される燃料の量を点火するように配置される電気スパーク集合体の時間指定した選択的点火を有効にするステップであって、プログラム可能発火表示は、リズム、メロディー、及び他の音声と、ビデオ信号とを含む信号に対してリモートで制御可能に調整され、それによって、炎は、生成の実行に一致して視覚刺激の作成に適切な様々な大きさ及び位置で生成できる、ステップと、
を含む、方法。
【請求項１１】
共溶媒を前記燃料と混ぜ、炎色を変動させるステップをさらに含む、請求項１０に記載のコンピュータ調節式及び制御式の点火及び燃焼発火表示装置を可能にする方法。
【発明の詳細な説明】
【技術分野】
【０００１】
関係者各位
発明者及び出願者のＰｅｔｅｒ  Ｇｒｅｅｎｗａｌｄ（米国民）が、本明細書に説明されるようなコンピュータ調節式及び制御式の点火及び燃焼発火表示装置と、プログラム可能発火表示のための加圧燃料の点火及び燃焼の調節及び制御を可能にするための方法とを新しく及び有用に改善するように発明していることは既知である。
【背景技術】
【０００２】
様々な種類の発火装置は、先行技術で既知である。しかしながら、必要とされるものは、コンピュータ調節式及び制御式の点火及び燃焼発火表示装置であり、本装置は、共通面内に配置される点火端に配向される煙道部材のグリッド状配列を含み、各煙道部材は、煙道部材に燃焼燃料を導入することによって有効になる熱ポテンシャルを有し、当該熱ポテンシャルは、最小開口部と最大開口部との間で配置される少なくとも１つの可変開口と、開口を通って導入される当該燃料の圧力との機械的操作によって変動し、各煙道部材の点火端に配置されるスパーク集合体は、当該煙道部材内に送達される燃料を点火するために電流がスパーク集合体を通るとき、スパークを選択的に生成し、それによって、各煙道部材は、実行において発生する信号の生成と同時に火の図をレンダリングするのに適切な明るい及び火の画素のように点火可能である。
【０００３】
本発明は、コンピュータ調節式及び制御式の点火及び燃焼発火表示装置に関し、より具体的には、コンピュータ調節式及び制御式の点火及び燃焼発火表示装置に関し、本装置は、当該共通面内に配置される点火端に配向される煙道部材のグリッド状配列を含み、各煙道部材は、煙道部材に燃焼燃料を導入することによって有効になる熱ポテンシャルを有し、当該熱ポテンシャルは、最小開口部と最大開口部との間で配置される少なくとも１つの可変開口と、開口を通って導入される当該燃料の圧力との機械的操作によって変動し、各煙道部材の点火端に配置されるスパーク集合体は、当該煙道部材内に送達される燃料を点火するために電流がスパーク集合体を通るとき、スパークを選択的に生成し、それによって、各煙道部材は、実行において発生する信号の生成と同時に火の図をレンダリングするのに適切な明るい及び火の画素のように点火可能である。
【発明の概要】
【発明が解決しようとする課題】
【０００４】
後でより詳細に説明されるコンピュータ調節式及び制御式の点火及び燃焼発火表示装置の全般的な目的は、予期されない、自明ではない状態であり、先行技術によって示唆されない、またはさらに暗示されない、コンピュータ調節式及び制御式の点火及び燃焼発火表示装置をもたらす多くの新規特徴を有するコンピュータ調節式及び制御式の点火及び燃焼発火表示装置を、単独でまたはそれらの組み合わせのいずれかで提供することである。
【課題を解決するための手段】
【０００５】
本発明のコンピュータ調節式及び制御式の点火及び燃焼発火表示装置は、コンピューティング装置による実行及び入力から発生するデジタル化信号と密に調整される発火表示を可能にするために考案されている。複数の煙道部材はグリッド状配列に配置され、それによって、各煙道部材は炎の画素（「ピクセル」）として点火可能であり、それによって、アニメーション、用語、文字、アイコン、ロゴ、及び他の図は、デジタル信号の入力によって実行と同時に、当該グリッド状配列において炎で表示可能であり、ひいては、コンピューティング装置によって制御可能である。
【０００６】
本明細書で全体にわたって使用される用語「実行」は、音声データ信号及び／またはビデオデータ信号は、プログラム可能シーケンスで及びそれに応答して、本発明のコンピュータ調節式及び制御式の点火及び燃焼発火表示装置を駆動させるために、コンピューティング装置への入力のためにキャプチャ可能になること等のいずれかの実行を含むように解釈される。
【０００７】
したがって、本発明のコンピュータ調節式及び制御式の点火及び燃焼発火表示装置は、複数の煙道部材のそれぞれの熱ポテンシャルを変調させる２つの機構を含む。本明細書で全体にわたって使用される用語「熱ポテンシャル」は、ある範囲の速度で複数の煙道部材のそれぞれに導入される燃焼燃料または可燃燃料の選択的点火によって解放可能な化学エネルギーを意味するように解釈され、それによって、当該燃料のより大きいまたはより小さい量は選択的に点火可能であり、それによって、各々、より大きいエネルギーまたはより小さいエネルギーは解放可能である。したがって、各煙道部材内に導入される燃料の量及び点火の瞬間を制御することによる熱ポテンシャルの変調は、最小の熱ポテンシャルと最大の熱ポテンシャルとの間である範囲の熱ポテンシャルを可能にする。
【０００８】
各煙道部材における選択的点火は、複数の煙道部材のそれぞれの点火端に配置されるスパーク集合体を用いて有効になる。スパーク集合体は、電流がスパーク集合体内で作動するときスパークを生成する。スパーク集合体が作動するとき、煙道部材の内部のいずれかの燃料は点火する。各スパーク集合体は、コンピュータ調節式及び制御式の点火及び燃焼装置を駆動するように配置される少なくとも１つのプロセッサで起動するコンピューティング装置によって制御される。したがって、各スパーク集合体を通る電流の振動は、各煙道部材で選択的点火を可能にし、それによって、炎ピクセルは、要望に応じて実行中に発生する信号と同時に生成できる、または要望に応じてオペレータによってプログラム可能である。
【０００９】
各煙道部材の熱ポテンシャルは、煙道部材内に配置される少なくとも１つの可変開口によって変動し、当該少なくとも１つの可変開口は、最小の開口部と最大の開口部との間に配置される。可変開口が最小開口部にあるとき、燃料は各々の煙道部材内に導入されない。可変開口が最大開口部に配置されるとき、燃料の最大量は、最大速度で各々の煙道部材内に導入される。
【００１０】
コンピューティング装置は少なくとも１つの可変開口のそれぞれと通信制御して配置され、それによって、複数の煙道部材の熱ポテンシャルのそれぞれは、実行から発生するまたはオペレータによってプログラムされる入力信号に応答して、コンピューティング装置によって駆動可能である。したがって、コンピューティング装置は、複数の煙道部材のそれぞれの熱ポテンシャルを選択的に増加または減少させ得、それによって、点火または消火のために選択的ピクセルを設定し、それによって、アニメーション、アイコン、単語、図、キャラクタ、写真、ロゴ、グリフ、及び他の火の図及び表示は有効になり、要望に応じて、実行と同時に調整される、またはオペレータによってプログラムされる。コンピュータは、デバイスのリモート動作のためにデバイスと無線通信するように配置され得る。
【００１１】
各煙道部材内への燃料導入の速度は、さらに、各煙道部材内に解放可能な燃料の圧力に比例して変動する。したがって、いずれかの特定の煙道部材に関する最大の熱ポテンシャルは、煙道部材に導入される燃料の速度（ひいては、燃料源の圧力）と、少なくとも１つの可変開口の直径とに応じた値になる。したがって、いずれかの特定の煙道部材の最大の熱ポテンシャルは、最短の時間間隔の下、最大圧力が燃料の最大量を煙道部材内に導入するとき取得可能である。
【００１２】
本明細書の目的に関して、用語「極大の熱ポテンシャル」は、少なくとも１つの可変開口が最大開口部に配置されるとき、特定の圧力で煙道部材内に導入される燃料の最大量に適用される。したがって、用語「極大の熱ポテンシャル」は、燃料の一定の圧力における少なくとも１つの可変開口の最大開口部に適用可能である。本明細書で以下に使用される用語「最大の熱ポテンシャル」は、少なくとも１つの可変開口の最大開口部に加えて、最大圧力に応じた値になる最大速度で、煙道部材内への燃料導入に適用する。
【００１３】
したがって、ユーザは、煙道部材のグリッド状配列を横断する炎ピクセル要素を制御するように信号を変調することを可能にし、当該煙道部材のそれぞれは、共通面内に配置される点火端を有する。炎は各点火端で選択的に及び実行と同時にプログラム可能に生成できる。炎のサイズは熱ポテンシャルに応じて変動し、それによって、より大きいまたはより小さい炎は実行と同時に生成できる。
【００１４】
さらに、各煙道部材内に可燃元素を導入することによって、炎色はまた変動し得、それによって、当該可燃元素を燃焼するとき、炎色は変化し得ることが、本発明の一部として想到される。例えば、煙道部材内への酸素の増加は青っぽい炎を生じさせ得る。特定の燃料（例えば、塩素供与体等）への共溶媒内の導入は、さらに、要望に応じて、炎色を変調させ得る。
【００１５】
このように、以下に続く本装置の詳細な説明を良好に理解し得るように、当技術への本発明の寄与を良好に認識し得るために、本発明のコンピュータ調節式及び制御式の点火及び燃焼発火表示装置のより重要な特徴を広義に概説している。
【００１６】
本発明のコンピュータ調節式及び制御式の点火及び燃焼発火表示装置の目的は、本発明を特徴付ける様々な新規特徴と一緒に、具体的には、本開示の一部を形成する「特許請求の範囲」に指摘される。コンピュータ調節式及び制御式の点火及び燃焼発火表示装置を良好に理解するために、本装置の使用によって達成されるその動作の利点及び特定の目的は、添付図及び説明を参照する。
【図面の簡単な説明】
【００１７】
【図１】実施形態の等角図である。
【図２】実施形態の上面図である。
【図３】煙道部材の断面図である。
【図４】実施形態のブロック図である。
【図５】最小の熱ポテンシャルと極大の熱ポテンシャルとの間の熱ポテンシャルの制御を示す実施形態のブロック図である。
【図６】最小の熱ポテンシャルと最大の熱ポテンシャルとの間の熱ポテンシャルの制御を示す実施形態のブロック図である。
【図７】代替の実施形態の単一の煙道部材の図である。
【発明を実施するための形態】
【００１８】
ここで、図面（具体的には、図１〜図７）を参照して、本発明のコンピュータ調節式及び制御式の点火及び燃焼発火表示装置の原理及び概念を採用し、参照番号１０によって全体的に指定される瞬間的なコンピュータ調節式及び制御式の点火及び燃焼発火表示装置の例を説明する。
【００１９】
図１〜図７を参照して、本発明のコンピュータ調節式及び制御式の点火及び燃焼発火表示装置１０の好ましい実施形態を示す。
【００２０】
本発明１０は、実行と併せて、調整された発火表示を可能にするように考案されている。入力信号をデジタル化し、少なくとも１つのプロセッサで起動するコンピューティング装置７０は、燃焼燃料の制御可能な量を点火するために本発明１０を駆動し、それによって、炎の位置及びサイズは入力信号の生成に合わせて制御可能である。
【００２１】
用語及び画像はデバイス１０によって有効になり、炎でレンダリングされ、現場で生成された入力信号に応答してアニメ化されることが、本発明１０の一部として想到される。
【００２２】
したがって、本発明のコンピュータ調節式及び制御式の点火及び燃焼発火表示装置１０は、共通面と一致する点火端２２を整列するように配置される煙道部材２０のグリッド状配列を含む。したがって、煙道部材２２のそれぞれは、グリッド状配列によって覆われるエリア内に発光画素（「ピクセル」）を含む。
【００２３】
電気スパーク集合体２４は煙道部材２０のそれぞれの点火端２２に配置され、当該電気スパーク集合体２４は、電流がスパーク集合体２４を通るとき、スパークの生成を生じさせる。したがって、煙道部材２０のそれぞれの点火端２２に配置される電気スパーク集合体２４のそれぞれの制御は、電気スパーク集合体２４を通る電流の振動によって有効になる。
【００２４】
要望に応じて点火するために燃焼燃料を煙道部材２０のそれぞれを送ることを可能にするために、加圧された燃焼燃料７２の源に煙道部材２０のそれぞれを接続する導管２６を配置する。少なくとも１つの可変開口２８は煙道部材２０のそれぞれに配置され、当該可変開口２８は最大開口部と最小開口部との間で機械的に有効になる。少なくとも１つのプロセッサを有し、ドライバを起動するコンピューティング装置７０は、少なくとも１つの可変開口２８のそれぞれと通信制御して配置され、それによって、当該少なくとも１つの可変開口２８のそれぞれは、電流がスパーク集合体２４を通るとき、点火のために煙道部材２０内に所望の燃料の量を解放することが制御可能になる。したがって、スパーク集合体２４が係合するときに、煙道部材２０のそれぞれに導入される燃焼燃料の量がその点火のためにより大きくまたはより小さくなるにつれて、炎のサイズの変動が可能になる。
【００２５】
したがって、いずれかの特定の煙道部材２０の点火端２２で点火した炎の振動及び振幅は、コンピューティング装置７０に入力されるデジタル化信号に応答してプログラム可能に、コンピューティング装置７０によって生成でき制御可能である。煙道部材２０のそれぞれへの燃焼燃料のある量の導入は、本明細書に、当該煙道部材２０の「熱ポテンシャル」を有効にする。したがって、最大開口部における直径に対する少なくとも１つの可変開口２８の配置は、極大量の燃料の導入の極大速度を可能にすることによって、関連の煙道部材２０の当該熱ポテンシャルを極大の熱ポテンシャルに増加させる。極大の熱ポテンシャルで点火した炎は、極大振幅を表す。
【００２６】
逆に、したがって、最小開口部における直径に対する少なくとも１つの可変開口２８の配置は、煙道部材２０内への燃焼燃料の導入を防止するによって、関連の煙道部材２０の当該熱ポテンシャルを最小の熱ポテンシャルに減少させる。
【００２７】
したがって、炎振幅のスライドスケールは、煙道部材２０のそれぞれの最小の熱ポテンシャルと極大の熱ポテンシャルとの間で可能になり、それによって、炎の放出の制御及び振幅変調は、そこで、最小開口部と最大開口部との間の少なくとも１つの可変開口の配置に合わせて可能になる。さらに、当該燃料源において燃焼燃料の圧力を増加または減少させると、各々、少なくとも１つの可変開口２８の直径に応じて、煙道部材２０のそれぞれへの当該燃料導入の速度が増加または減少する。したがって、２次炎振幅変調は煙道部材２０のそれぞれで生じる。
【００２８】
したがって、最短の時間間隔にわたる煙道部材２０内に燃料の最大量を導入するための関連の煙道部材２０内への燃料の導入の最大速度に対応する最大圧力は、当該煙道部材２０における最大の熱ポテンシャルを生成する。
【００２９】
したがって、デジタル化信号は発火表示を調整するために変換可能であり、燃料７２のある範囲の加圧源にわたる最小開口部と最大開口部との間に配置される少なくとも１つの可変開口２８のそれぞれの直径の変動の制御と併せた電気スパーク集合体２４のそれぞれの選択的点火は有効になり、煙道部材２０のそれぞれの熱ポテンシャルは変動し、煙道部材２０内への燃焼燃料の導入の変調によって制御可能になり、それによって、燃焼燃料の調節された流動の点火の制御は煙道部材２０のそれぞれの点火端で可能になり、それによって、調整された火の表示は、当該デジタル化信号の生成に応答してプログラム可能に、要望に応じてその生成に合わせて制御可能である。
【００３０】
同様に、炎色は、燃料源７２内に追加可燃元素７４を導入による操作に関して想到される。さらに、少なくとも１つの可変開口２８は、関連の煙道部材２０内の酸素を豊富にし、ひいては、より酸素を豊富に含む炎を燃焼するために、入口開口３０と併せて配置され得る。
【００３１】
代替の実施形態は図７に示され、煙道部材２０は、コンピューティング装置７０と、当該煙道部材２０に統合される燃料７２の源とを含む、自立型ユニットである。可変開口２８は点火端２２に配置される。コンピューティングインターフェースは、デバイス１０を駆動するためのコンピューティング装置７０（本実施形態では、マイクロプロセッサである）に接続可能である。本実施形態では、煙道部材２０のそれぞれは、スタンドアローンユニットとして独立して動作可能であり、複数の係る煙道部材の配列で組み立てられるとき、前述に説明したような同じ効果を生じさせるように動作可能である。
【図１】
2021515171.tif 000003
【図２】
2021515171.tif 000004
【図３】
2021515171.tif 000005
【図４】
2021515171.tif 000006
【図５】
2021515171.tif 000007
【図６】
2021515171.tif 000008
【図７】
2021515171.tif 000009
【国際調査報告】
2021515171.tif 000010